(57)【要約】    【課題】  操作性のよいカメラを提供する。    【解決手段】  撮像素子１２の近傍の撮像側筐体２００の側面に軸２０１を突設し、本体側筐体３００の側面上方に軸３０１を突設する。連結板４０で軸２０１，３０１を回動可能に軸支して、撮像部２と本体部３とを互いに回動可能に連結する。撮像部２に設けられる固定ピン２０３とロックピン２０４、および、本体部３に設けられる固定ピン３０３とロックピン３０４によって連結板４０の前後の側面を挟み、撮像部２と連結板４０、および、連結板４０と本体部３を回動しないように固定する。ここで、解除スイッチ１０１が押圧されると、ロックピン２０４が退避して連結板４０と当接しなくなり、撮像部２は、軸２０１を中心として前方へ回動可能となる。また、解除スイッチ１０２が押圧されると、ロックピン３０４が退避して連結板４０と当接しなくなり、連結板４０は撮像部２とともに軸３０１を中心として前方へ回動可能となる。【選択図】      図４
2006222926.tif 000002
【特許請求の範囲】
【請求項１】
カメラ本体と、
カメラ本体とは別に設けられた撮像レンズおよび撮像素子を有する撮像部と、
前記カメラ本体と前記撮像部とを互いに回動可能に連結する連結機構とを備え、
前記連結機構は、互いにずれて配置される第１および第２の回動軸と、前記第１および第２の回動軸のいずれか一方を選択する選択部を含み、
前記選択部で選択された一方の回動軸を中心に前記カメラ本体と前記撮像部とが互いに回動するように構成したことを特徴とするカメラ。
【請求項２】
請求項１に記載のカメラにおいて、
前記第１の回動軸は、前記撮像部の被写体光の入射側または前記撮像部に設けられた前記撮像素子のいずれか一方の近傍に設けられ、
前記第２の回動軸は、前記カメラ本体の側面のうち、上方または下方のいずれか一方の近傍に設けられることを特徴とするカメラ。
【請求項３】
請求項１または請求項２に記載のカメラにおいて、
前記選択部で選択された一方の回動軸を中心に前記カメラ本体と前記撮像部とが互いに回動する場合、前記カメラ本体と前記撮像部とが前記選択部で選択されていない他方の回動軸を中心に回動することを禁止する回動禁止手段をさらに備えることを特徴とするカメラ。
【請求項４】
請求項３に記載のカメラにおいて、
前記連結機構は、表面および裏面にそれぞれ第１および第２の回動軸が互いにずれて配置される板状部材を含み、
前記撮像部は、前記第１の回動軸によって回動可能に軸支され、
前記カメラ本体は、前記第２の回動軸によって回動可能に軸支され、
前記回動禁止手段は、前記撮像部が前記第１の回動軸を中心に回動される場合には、
前記カメラ本体の側面から前記板状部材に向かって第１のピン状部材を突出させて、前記第２の回動軸を中心とする前記カメラ本体と前記板状部材との回動を禁止し、前記カメラ本体が前記第２の回動軸を中心に回動される場合には、前記撮像部の側面から前記板状部材に向かって第２のピン状部材を突出させて、前記第１の回動軸を中心とする前記撮像部と前記板状部材との回動を禁止することを特徴とするカメラ。
【請求項５】
請求項４に記載のカメラにおいて、
前記第１ピン状部材または第２のピン状部材を選択して突出させる選択手段をさらに備えることを特徴とするカメラ。
【請求項６】
請求項３〜５のいずれか一項に記載のカメラにおいて、
前記撮像部の入射光軸の延在方向が前記カメラ本体の上下方向と一致し、かつ、前記撮像部と前記カメラ本体の前後方向の位置が一致する基準位置を起点として、前記選択部で選択された一方の回動軸を中心に前記カメラ本体と前記撮像部とが互いに回動することを特徴とするカメラ。
【請求項７】
請求項１〜６のいずれか一項に記載のカメラにおいて、
前記撮像部の少なくとも一部は、前記カメラ本体と左右方向で重複することを特徴とするカメラ。
【請求項８】
請求項１に記載のカメラにおいて、
前記連結機構は、前記撮像部を介して互いに向き合うように配設される第１および第２の連結機構を有し、
前記第１の連結機構は、前記第２の連結機構によって前記カメラ本体と前記撮像部とが互いに回動する際に前記第２の連結機構の前記第１および第２の回動軸のいずれか一方を選択する選択部として作用し、
前記第２の連結機構は、前記第１の連結機構によって前記カメラ本体と前記撮像部とが互いに回動する際に前記第１の連結機構の前記第１および第２の回動軸のいずれか一方を選択する選択部として作用することを特徴とするカメラ。
【請求項９】
カメラ本体と、
カメラ本体とは別に設けられた撮像レンズおよび撮像素子を有する撮像部と、
前記撮像部を介して互いに向き合うように配設されて、それぞれ前記カメラ本体と前記撮像部とを互いに回動可能に連結する第１および第２の連結機構と、
前記カメラ本体に設けられて撮像する被写体像を表示する画像表示手段と、
前記カメラ本体に設けられて撮像を指示するレリーズボタンと、
前記カメラ本体に設けられて前記カメラ本体および前記撮像部の各部を制御する制御手段と、
前記カメラ本体に対して着脱可能に設けられて前記撮像部で撮像した画像データを記憶する記憶手段と、
前記カメラ本体および前記撮像部の各部の駆動力を供給する電池を収容する電池収容部とを備え、
前記第１および第２の連結機構は、互いにずれて配置される第１および第２の回動軸と、前記第１および第２の回動軸のいずれか一方を選択する選択部をそれぞれ含み、
前記選択部で選択された一方の回動軸を中心に前記カメラ本体と前記撮像部とが互いに回動するように構成したことを特徴とするカメラ。
【請求項１０】
請求項９に記載のカメラにおいて、
前記カメラ本体は、前記撮像部の前記光軸を跨ぐように振り分けられた筐体を有し、
前記筐体のうち、前記撮像部の前記光軸を跨ぐように振り分けられた一方には、前記レリーズボタン、前記制御手段、前記記憶手段、および前記電池収容部のうち少なくとも１つが配設され、他方には、前記レリーズボタン、前記制御手段、前記記憶手段、および前記電池収容部のうち、前記一方の筐体に配設されたものを除いて他のものが配設されることを特徴とするカメラ。
【請求項１１】
請求項９に記載のカメラにおいて、
前記カメラ本体は、前記撮像部の前記光軸を跨ぐように振り分けられた筐体を有し、
前記筐体のうち、前記撮像部の前記光軸を跨ぐように振り分けられた一方に、前記レリーズボタン、前記制御手段、前記記憶手段、および前記電池収容部が配設されることを特徴とするカメラ。
【発明の詳細な説明】
【技術分野】
【０００１】
本発明は、撮像レンズを含む撮像部が、本体に対して回動される構造を有するカメラに関する。
【背景技術】
【０００２】
撮像レンズを含む撮像部が、本体に対して回動される構造を有するカメラが知られている。このカメラでは、撮像部と本体とが撮像部の側面および本体の側面の略中央付近で回動可能に結合されている（特許文献１参照）。
【０００３】
【特許文献１】特開２００３−３３００７３号公報
【発明の開示】
【発明が解決しようとする課題】
【０００４】
従来のカメラでは、撮像部の被写体光の入射側が前方の被写体に向くように撮像部をカメラの前方へ回動させると、撮像部の撮像素子側が本体よりも後方に突出した状態となる。また、撮像部の入射側が撮影者に向くように撮像部をカメラの後方へ回動させると、撮像部の入射側が本体よりも後方に突出した状態となる。このように従来のカメラでは、本体に対して撮像部を回動させると、撮像部の一部が本体よりも後方に突出するが、操作性の点から、撮像部の一部が本体よりも後方に突出しないことが望ましい。
【課題を解決するための手段】
【０００５】
（１）  請求項１の発明によるカメラは、カメラ本体と、カメラ本体とは別に設けられた撮像レンズおよび撮像素子を有する撮像部と、カメラ本体と撮像部とを互いに回動可能に連結する連結機構とを備え、連結機構は、互いにずれて配置される第１および第２の回動軸と、第１および第２の回動軸のいずれか一方を選択する選択部を含み、選択部で選択された一方の回動軸を中心にカメラ本体と撮像部とが互いに回動するように構成したことを特徴とする。
（２）  請求項２の発明は、請求項１に記載のカメラにおいて、第１の回動軸は、撮像部の被写体光の入射側または撮像部に設けられた撮像素子のいずれか一方の近傍に設けられ、第２の回動軸は、カメラ本体の側面のうち、上方または下方のいずれか一方の近傍に設けられることを特徴とする。
（３）  請求項３の発明は、請求項１または請求項２に記載のカメラにおいて、選択部で選択された一方の回動軸を中心にカメラ本体と撮像部とが互いに回動する場合、カメラ本体と撮像部とが選択部で選択されていない他方の回動軸を中心に回動することを禁止する回動禁止手段をさらに備えることを特徴とする。
（４）  請求項４の発明は、請求項３に記載のカメラにおいて、連結機構は、表面および裏面にそれぞれ第１および第２の回動軸が互いにずれて配置される板状部材を含み、撮像部は、第１の回動軸によって回動可能に軸支され、カメラ本体は、第２の回動軸によって回動可能に軸支され、回動禁止手段は、撮像部が第１の回動軸を中心に回動される場合には、カメラ本体の側面から板状部材に向かって第１のピン状部材を突出させて、第２の回動軸を中心とするカメラ本体と板状部材との回動を禁止し、カメラ本体が第２の回動軸を中心に回動される場合には、撮像部の側面から板状部材に向かって第２のピン状部材を突出させて、第１の回動軸を中心とする撮像部と板状部材との回動を禁止することを特徴とする。
（５）  請求項５の発明は、請求項４に記載のカメラにおいて、第１ピン状部材または第２のピン状部材を選択して突出させる選択手段をさらに備えることを特徴とする。
（６）  請求項６の発明は、請求項３〜５のいずれか一項に記載のカメラにおいて、撮像部の入射光軸の延在方向がカメラ本体の上下方向と一致し、かつ、撮像部とカメラ本体の前後方向の位置が一致する基準位置を起点として、選択部で選択された一方の回動軸を中心にカメラ本体と撮像部とが互いに回動することを特徴とする。
（７）  請求項７の発明は、請求項１〜６のいずれか一項に記載のカメラにおいて、撮像部の少なくとも一部は、カメラ本体と左右方向で重複することを特徴とする。
（８）  請求項８の発明は、請求項１に記載のカメラにおいて、連結機構は、撮像部を介して互いに向き合うように配設される第１および第２の連結機構を有し、第１の連結機構は、第２の連結機構によってカメラ本体と撮像部とが互いに回動する際に第２の連結機構の第１および第２の回動軸のいずれか一方を選択する選択部として作用し、第２の連結機構は、第１の連結機構によってカメラ本体と撮像部とが互いに回動する際に第１の連結機構の第１および第２の回動軸のいずれか一方を選択する選択部として作用することを特徴とする。
（９）  請求項９の発明によるカメラは、カメラ本体と、カメラ本体とは別に設けられた撮像レンズおよび撮像素子を有する撮像部と、撮像部を介して互いに向き合うように配設されて、それぞれカメラ本体と撮像部とを互いに回動可能に連結する第１および第２の連結機構と、カメラ本体に設けられて撮像する被写体像を表示する画像表示手段と、カメラ本体に設けられて撮像を指示するレリーズボタンと、カメラ本体に設けられてカメラ本体および撮像部の各部を制御する制御手段と、カメラ本体に対して着脱可能に設けられて撮像部で撮像した画像データを記憶する記憶手段と、カメラ本体および撮像部の各部の駆動力を供給する電池を収容する電池収容部とを備え、第１および第２の連結機構は、互いにずれて配置される第１および第２の回動軸と、第１および第２の回動軸のいずれか一方を選択する選択部をそれぞれ含み、選択部で選択された一方の回動軸を中心にカメラ本体と撮像部とが互いに回動するように構成したことを特徴とする。
（１０）  請求項１０の発明は、請求項９に記載のカメラにおいて、カメラ本体は、撮像部の光軸を跨ぐように振り分けられた筐体を有し、筐体のうち、撮像部の光軸を跨ぐように振り分けられた一方には、レリーズボタン、制御手段、記憶手段、および電池収容部のうち少なくとも１つが配設され、他方には、レリーズボタン、制御手段、記憶手段、および電池収容部のうち、一方の筐体に配設されたものを除いて他のものが配設されることを特徴とする。
（１１）  請求項１１の発明は、請求項９に記載のカメラにおいて、カメラ本体は、撮像部の光軸を跨ぐように振り分けられた筐体を有し、筐体のうち、撮像部の光軸を跨ぐように振り分けられた一方に、レリーズボタン、制御手段、記憶手段、および電池収容部が配設されることを特徴とする。
【発明の効果】
【０００６】
本発明によれば、互いにずれて配置される第１および第２の回動軸のうち、選択部で選択された一方の回動軸を中心にカメラ本体と撮像部とが互いに回動するように構成した。これにより、カメラ本体に対する撮像部の角度位置に関わらず、撮像部がカメラ本体の後方に突出することを防止できるので、カメラの操作性が向上する。
【発明を実施するための最良の形態】
【０００７】
−−−第１の実施の形態−−−
図１〜６を参照して、本発明によるカメラの第１の実施の形態を説明する。図１（ａ），（ｂ）は、それぞれ本発明によるカメラの平面図および背面図である。カメラ１は、撮像部２と本体部３とが後述する連結部４により回転可能に連結されているデジタルスチルカメラである。なお、図１（ａ），（ｂ）は、デジタルカメラ１を非使用状態、すなわち、撮像部２を収納した状態を示す図である。なお、以下の説明では、各図に示すように前後左右および上下の方向を規定して、これらの方向に基づいて説明する。
【０００８】
撮像部２には、筐体（撮像側筐体）２００の内部に、撮影レンズ１１と撮像素子（例えばＣＣＤ）１２と、ストロボ発光部１３と、ストロボコンデンサ１４とが設けられている。また、撮像部２には、後述するロックピンを駆動するプランジャ機構２１０と、解除スイッチ１０１，１０２とが設けられている。本体部３には、筐体（本体側筐体）３００の上部にシャッターボタン１５が設けられ、本体側筐体３００の背面に、液晶モニタ１６と、メニューボタン１７とが設けられている。また、本体部３は、デジタルカメラ１の撮像に関する制御を行う制御基板２１と、液晶モニタ１６への表示に関する制御を行う液晶ドライバ２２と、デジタルカメラ１の電源である電池２３と、撮像した画像を記録する記録媒体２４と、後述するロックピンを駆動するプランジャ機構３１０とを有する。
【０００９】
液晶モニタ１６は、撮影時、被写体の画像を表示する電子ファインダとして働く。すなわち、被写体のスルー画像を表示する。また、撮像した画像（フリーズ画像）も表示する。さらに、記録媒体２４に記録された過去に撮像した画像をデジタルカメラ１上で再生するときにも使用される。すなわち、再生画像が表示される。さらに、各種のメニュー画面を表示し、各種のモード等の設定を行うときにも使用される。モード等の設定時には、メニューボタン１７が使用される。
【００１０】
液晶モニタ１６と液晶ドライバ２２とは一体化されている。以下の説明では、一体化された液晶モニタ１６と液晶ドライバ２２とを表示ユニット２５と呼ぶ。表示ユニット２５の左右方向の幅は、液晶モニタ１６の幅に依拠するが、液晶モニタ１６は上述の表示機能の点から大型化される傾向にあるため、表示ユニット２５の幅も大きくなる傾向にある。一方、デジタルカメラ１には小型化の要請がある。そのため、デジタルカメラ１に対して表示ユニット２５が占める空間の割合は大きくなる傾向にある。本実施の形態のデジタルカメラ１では、デジタルカメラ１の幅方向の寸法を小さくするため、表示ユニット２５がデジタルカメラ１の幅方向で非使用状態の撮像部２と重なるように、表示ユニット２５が収容される本体側筐体３００の背面左側部分が撮像部２の後方で本体部３の左側面から左側に突出している。
【００１１】
デジタルカメラ１の非使用状態では、撮影レンズ１１が収まるレンズ鏡筒の向きがデジタルカメラ１の上下方向と一致する。一般にレンズ鏡筒の長さが長い方が光学性能の点で有利である。したがって、デジタルカメラ１の非使用状態のときに、比較的長さを確保できるデジタルカメラの上下方向にレンズ鏡筒の入射光軸を一致させれば、光学性能を確保した上でデジタルカメラ１の携帯性を向上できる。なお、撮像部２は本体部３の前面から背面までの厚みの範囲内に収まるように設計されている。
【００１２】
上述のように、撮像部２と本体部３とは、連結部４によって連結されており、図２，３に示すように、撮像部２が本体部３に対して回動可能である。前方の被写体を撮像する場合、本体部３に対して撮像部２を前方に回動させて、撮像部２の被写体光の入射側（以下、単に入射側と呼ぶ）を前方に向ける。このとき、撮像部２は、デジタルカメラ１の下部近傍を中心に回動される。デジタルカメラ１を把持する撮影者を撮像する場合、本体部３に対して撮像部２を後方に回動させて、撮像部２の入射側を後方に向ける。このとき、撮像部２は、デジタルカメラ１の上部近傍を中心に回動される。すなわち、撮像部２を本体部３に対して前方に回動させた場合と後方に回動させた場合とでは、本体部３に対する撮像部２の回動中心が異なっている。また、撮像部２を本体部３に対して前方および後方のいずれの方向に回動させた場合でも、撮像部２は本体部３の背面より後方には突出しない。連結部４の構造の詳細については、以下に説明する。
【００１３】
−−−連結部４について−−−
図４（ａ），（ｂ）に示すように、連結部４は、軸２０１と、軸３０１と、連結板４０と、固定ピン２０３，３０３と、ロックピン２０４，３０４とを有する。図４（ａ），（ｂ）に示したデジタルカメラ１の非使用状態では、撮像部２の入射光軸、および、連結板４０の長手方向がそれぞれデジタルカメラ１の上下方向を向いている。このように、デジタルカメラ１の上下方向と連結板４０の長手方向が一致したときの連結板４０の位置を、本体部３に対する連結板４０の基準位置と呼ぶ。また、連結板４０の長手方向と撮像部２の入射光軸が平行になったときの撮像部２の位置を、連結板４０に対する撮像部２の基準位置と呼ぶ。なお、図４（ａ），（ｂ）は、連結部４の構造の模式図であり、本体側筐体３００の左側に突出した表示ユニット２５の収納部分についての記載は省略している。連結板４０は、表裏面を貫通する穴４１，４２が両端近傍にそれぞれ設けられた矩形板状の部材である。
【００１４】
軸２０１は、撮像素子１２の近傍で撮像側筐体２００の側面に突設され、先端側が連結板４０の穴４１に挿入されている。軸２０１から撮像部２の撮像素子１２側の端部までの入射光軸方向の距離は、本体部３に対して基準位置で固定された連結板４０の穴４１に挿入された軸２０１から本体部３の背面までの距離よりも短い。軸３０１は、本体側筐体３００の側面上方に突設され、先端側が連結板４０の穴４２に挿入されている。連結板４０に対して基準位置で固定された撮像部２の入射側の端部から軸３０１までの入射光軸方向の距離は、軸３０１から本体部３の背面までの距離よりも短い。
【００１５】
なお、図示はしないが、軸２０１と穴４１および軸３０１と穴４２は、それぞれ連結板４０が軸２０１，３０１を中心に回動することを許容しつつ、連結板４０が軸２０１，３０１を中心に回動される際に適度な摩擦力を発生させている。これにより、連結部４で回転可能に連結されている撮像部２と本体部３とを回転させる際に適度な操作感が得られるとともに、撮影者などに保持された本体部３に対して、撮像部２が重力で勝手に回動することを防止できる。
【００１６】
図５に示すように、軸２０１，３０１には、それぞれ軸２０１，３０１の軸端から撮像側筐体２００および本体側筐体３００の内部に貫通する貫通口２０１ａ，３０１ａが設けられている。貫通口２０１ａ，３０１ａには撮像部２と本体部３との間で電気信号を授受するための配線５１が挿通されている。
【００１７】
固定ピン２０３は、撮像部２の入射側の端部近傍で撮像側筐体２００の側面に突設され、撮像部２が連結板４０に対する基準位置に回動されたときに、連結板４０の側面に前方から当接して、撮像部２の入射側が連結板４０に対して基準位置よりも後方に回動しないように規制している。ロックピン２０４は、撮像部２の入射側の端部近傍の撮像側筐体２００の側面であって、撮像部２が連結板４０に対する基準位置に回動されたときに、連結板４０を挟んで固定ピン２０３と略対称となる位置に設けられている。ロックピン２０４は、撮像部２に設けられたプランジャ機構２１０によって撮像側筐体２００の側面で左右方向に駆動される。
【００１８】
以下の説明では、ロックピン２０４が右側、すなわち、連結板４０側に突出したときの状態を突出状態と呼び、このときのロックピン２０４の位置を突出位置と呼ぶ。また、ロックピン２０４が左側、すなわち、撮像側筐体２００側に戻ったときの状態を退避状態と呼び、このときのロックピン２０４の位置を退避位置と呼ぶ。解除スイッチ１０１は、ロックピン２４を退避位置に戻すためのスイッチであり、最初に押圧されるとＯＮとなり、再び押圧されるとＯＦＦとなるスイッチである（図１（ｂ））。解除スイッチ１０１が押圧されてＯＮされると、プランジャ機構２１０はロックピン２０４を退避位置まで駆動する。解除スイッチ１０１が再び押圧されてＯＦＦされると、プランジャ機構２１０はロックピン２０４を突出位置に駆動する。
【００１９】
撮像部２が連結板４０に対する基準位置に回動されたときに、ロックピン２０４が突出位置に突出されると、ロックピン４２の側面が連結板４０の後方の側面に当接する。この状態では、固定ピン２０３とロックピン２０４とによって連結板４０の前後の側面が挟まれるので、撮像部２が連結板４０に対する基準位置に固定される。換言すると、固定ピン２０３とロックピン２０４とによって、連結板４０が撮像部２に基準位置で固定される。この状態からロックピン２０４が退避位置へ移動されると、すなわち、解除スイッチ１０１が押圧されてＯＮされると、ロックピン２０４が連結板４０と当接しなくなるので、図６（ａ）に示すように、撮像部２は、軸２０１を中心として前方へ回動できる。
【００２０】
固定ピン３０３は、本体側筐体３００の側面下方に突設され、連結板４０が本体部３に対する基準位置に回動されたときに、連結板４０の側面に後方から当接して、連結板４０が本体部３に対して基準位置よりも後方に回動しないように規制している。ロックピン３０４は、本体側筐体３００の側面下方であって、連結板４０が本体部３に対する基準位置に回動されたときに、連結板４０を挟んで固定ピン３０３と略対称となる位置に設けられている。ロックピン３０４は、本体部３に設けられたプランジャ機構３１０によって本体側筐体３００の側面で左右方向に駆動される。
【００２１】
以下の説明では、ロックピン２０４の場合と同様に、ロックピン３０４が左側、すなわち、連結板４０側に突出したときの状態を突出状態と呼び、このときのロックピン３０４の位置を突出位置と呼ぶ。また、ロックピン３０４が右側、すなわち、本体側筐体３００側に戻ったときの状態を退避状態と呼び、このときのロックピン３０４の位置を退避位置と呼ぶ。解除スイッチ１０２は、ロックピン３０４を退避位置に戻すためのスイッチであり、最初に押圧されるとＯＮとなり、再び押圧されるとＯＦＦとなるスイッチである（図１（ｂ））。解除スイッチ１０２が押圧されてＯＮされると、プランジャ機構３１０はロックピン３０４を退避位置まで駆動する。解除スイッチ１０２が再び押圧されてＯＦＦされると、プランジャ機構３１０はロックピン３０４を突出位置に駆動する。
【００２２】
連結板４０が本体部３に対する基準位置に回動されたときに、ロックピン３０４が突出位置に突出されると、ロックピン３０４の側面が連結板４０の前方の側面に当接する。この状態では、固定ピン３０３とロックピン３０４とによって連結板４０の前後の側面が挟まれるので、連結板４０が本体部３に対する基準位置に固定される。この状態からロックピン３０４が退避位置へ移動されると、すなわち、解除スイッチ１０２が押圧されてＯＮされると、ロックピン３０４が連結板４０と当接しなくなるので、連結板４０は、図６（ｂ）に示すように、軸３０１を中心として前方へ回動できる。
【００２３】
なお、ロックピン２０４，３０４は、双方が同時に退避位置に移動しないように構成されている。たとえば、ロックピン２０４が退避状態である場合、解除スイッチ１０２が押圧されてＯＮされても、プランジャ機構３１０はロックピン３０４を突出位置で保持するように構成されている。ロックピン３０４が退避状態である場合、解除スイッチ１０１が押圧されてＯＮされても、プランジャ機構２１０はロックピン２０４を突出位置で保持するように構成されている。すなわち、デジタルカメラ１では、少なくともロックピン２０４，３０４のいずれか一方が選択されて突出位置まで駆動されることで、一方の軸２０１，３０１を中心とする撮像部２と本体部３との回動を許可し、他方の軸２０１，３０１を中心とする撮像部２と本体部３との回動を禁止する。
【００２４】
説明の便宜上、図４（ａ）、図６（ａ），（ｂ）に示すように、デジタルカメラ１の左側から見たときの固定ピン２０３，３０３の形状を矩形とし、ロックピン２０４，３０４の形状を円形として、固定ピン２０３，３０３とロックピン２０４，３０４との形状を異なるものとしているが、本発明はこれに限定されない。連結板４０の側面に当接して軸２０１，３０１を中心とする連結板４０の回動を規制できれば、固定ピン２０３，３０３およびロックピン２０４，３０４の形状は、上述した形状に限らない。
【００２５】
−−−撮像時の撮影部２と本体部３との位置関係−−−
上述のように構成されるデジタルカメラでは、次のようにして、被写体を撮像する。図１（ａ），（ｂ）に示すようにデジタルカメラ１が非使用状態の場合、連結板４０が本体部３に対する基準位置で固定され、撮像部２が連結板４０に対する基準位置で固定されている。すなわち、固定ピン２０３，３０３とロックピン２０４，３０４とによって連結板４０の軸２０１，３０１を中心とする回動が規制されて、撮像部２の入射側がデジタルカメラ１の上方向に向けられた状態で、撮像部２が連結部４を介して、本体部３に固定されている。
【００２６】
非使用状態から、解除スイッチ１０１が押圧されてＯＮされると、ロックピン２０４が退避位置まで退避する。この状態では、連結板４０は、固定ピン３０３とロックピン３０４とによって本体部３に対する基準位置で固定されているが、撮像部２は、連結板４０に対して軸２０１を中心として前方に回動可能である。したがって、撮像部２に対して入射側を前方に向ける付勢力が作用すると、撮像部２は、図２（ａ），（ｂ）、図６（ａ）に示すように、連結板４０に対して軸２０１を中心として入射側が前方に回動される。このようにして、撮像部２の入射側が前方に向けられると、撮影者の前方の被写体をデジタルカメラ１で撮像できる。
【００２７】
上述のように、軸２０１から撮像部２の撮像素子１２側の端部までの入射光軸方向の距離は、連結板４０が本体部３に対する基準位置で固定されたときの軸２０１から本体部３の背面までの距離よりも短い。したがって、図２（ａ）、図６（ａ）に示すように、撮像部２が軸２０１を中心として前方に回動されても、撮像部２の撮像素子１２側の端部は、本体部３の背面から突出しない。
【００２８】
撮像部２の入射側が前方に向けられた状態から、非使用状態に戻すには、撮像部２に付勢力を与えて、撮像部２の入射側をデジタルカメラ１の上方向に向ければよい。撮像部２の入射側がデジタルカメラ１の上方向に向いた状態で解除スイッチ１０１が再び押圧されてＯＦＦされると、ロックピン２０４が突出位置まで移動する。これにより、撮像部２が連結板４０に対する基準位置で固定される。
【００２９】
非使用状態から、解除スイッチ１０２が押圧されてＯＮされると、ロックピン３０４が退避位置まで退避する。この状態では、撮像部２は、固定ピン２０３とロックピン２０４とによって連結板４０に対する基準位置で固定されているが、連結板４０は、本体部３に対して軸３０１を中心として前方に回動可能である。したがって、撮像部２に対して入射側を後方に向ける付勢力が作用すると、撮像部２は、図３（ａ），（ｂ）、図６（ｂ）に示すように、連結板４０とともに軸３０１を中心として入射側が後方に回動される。このようにして、撮像部２の入射側が後方に向けられると、撮影者自身をデジタルカメラ１で撮像できる。なお、撮像部２の入射側を後方に向けたときに液晶モニタ１６に表示される被写体像の天地が、入射側を前方に向けたときとは逆になるように構成することが望ましい。
【００３０】
上述のように、連結板４０に対して基準位置で固定された撮像部２の入射側の端部から軸３０１までの入射光軸方向の距離は、軸３０１から本体部３の背面までの距離よりも短い。したがって、図３（ａ）、図６（ｂ）に示すように、撮像部２が連結板４０とともに軸３０１を中心として前方に回動されても、撮像部２の入射側の端部は、本体部３の背面から突出しない。
【００３１】
撮像部２の入射側が後方に向けられた状態から、非使用状態に戻すには、撮像部２に付勢力を与えて、撮像部２の入射側をデジタルカメラ１の上方向に向ければよい。撮像部２の入射側がデジタルカメラ１の上方向に向いた状態で解除スイッチ１０２が再び押圧されてＯＦＦされると、ロックピン３０４が突出位置まで移動する。これにより、連結板４０が本体部３に対する基準位置で固定される。
【００３２】
上述した第１の実施の形態のデジタルカメラ１では、次の作用効果を奏する。
（１）  連結部４によって異なる２つの軸２０１，３０１のいずれか一方を中心に撮像部２と本体部３とを互いに回動可能とした。これにより、撮像部２を本体部３の後方に突出させることなく撮像部２と本体部３とを互いに回動できるので、操作性が向上する。また、撮像部２と本体部３との回動軸が２つあるので、撮像部２と本体部３の表示ユニット２５の収容部分とが干渉することなく、本体部３に対して撮像部２を任意の角度位置に回動させた状態で撮像できる。
【００３３】
（２）  軸２０１を撮像素子１２の近傍で撮像側筐体２００の側面に突設し、軸３０１を本体側筐体３００の側面上方に突設するように構成した。これにより、軸２０１から撮像部２の撮像素子１２側の端部までの距離を、連結板４０が本体部３に対して基準位置で固定されたときの軸２０１から本体部３の背面までの距離よりも短くできる。また、連結板４０に対して基準位置で固定された撮像部２の入射側の端部から軸３０１までの距離を、軸３０１から本体部３の背面までの距離よりも短くできる。したがって、撮像部２の入射側を前方に向けるときには軸２０１を中心に回動させ、撮像部２の入射側を前方に向けるときには軸３０１を中心に回動させれば、撮像部２が本体部３の後方に突出しないので、デジタルカメラ１の操作性を確実に向上できる。
【００３４】
（３）  ロックピン２０４，３０４によって、軸２０１，３０１のうち、いずれか一方の軸を中心に回動されることを防止しつつ、他方の軸を中心として撮像部２と本体部３とを互いに回動できる。これにより、撮像部２の回動中心が本体部３の側面から前方へ移動することがなく、撮像部２を回動させてもデジタルカメラ１の重心位置があまり前方へ移動しないので、デジタルカメラ１の重量バランスがよく、扱いやすい。
【００３５】
（４）  ロックピン２０４，３０４を突出位置および退避位置の２位置の間で移動するように構成した。これにより、簡単な機構で、軸２０１，３０１のうち、いずれか一方の軸を中心に回動されることを防止しつつ、他方の軸を中心として撮像部２と本体部３とを互いに回動できるので、デジタルカメラ１の製造コストを低減できる。
【００３６】
（５）  解除スイッチ１０１，１０２によってロックピン２０４，３０４の位置を切り替えるように構成した。これにより、簡単な操作で、ロックピン２０４，３０４を駆動できるので、操作性が向上する。
（６）  デジタルカメラ１の非使用状態では、撮像部２は、入射側がデジタルカメラ１の上方向に向けられた状態とされるように構成した。これにより、デジタルカメラ１の非使用状態では、比較的長さを確保できるデジタルカメラの上下方向にレンズ鏡筒の入射光軸を一致させることができるので、光学性能を確保した上でデジタルカメラ１の携帯性を向上できる。
（７）  連結部４によって異なる２つの軸２０１，３０１のいずれか一方を中心に撮像部２と本体部３とを互いに回動可能とし、表示ユニット２５がデジタルカメラ１の幅方向で非使用状態の撮像部２と重なるように、表示ユニット２５が収容される本体側筐体３００の背面左側部分を構成した。これにより、本体部３に対する撮像部２の回動範囲と、液晶モニタ１６の大きさとを確保した上でデジタルカメラ１の幅を狭くできるので、液晶モニタ１６に視認性の向上と、デジタルカメラ１の小型化を両立できる。
【００３７】
−−−第２の実施の形態−−−
図７〜１０を参照して、発明によるカメラの第２の実施の形態を説明する。以下の説明では、第１の実施の形態と同じ構成要素には同じ符号を付して相違点を主に説明する。特に説明しない点については、第１の実施の形態と同じである。図７（ａ），（ｂ），（ｃ）は、それぞれカメラの非使用状態における平面図、背面図、および左側から見た断面図である。本実施の形態のデジタルカメラ１では、撮像部２の左右にデジタルカメラ１の本体である本体部３が設けられており、撮像部２の左右の連結部４によって撮像部２と本体部３とが回動可能に連結されている。すなわち、撮像部２は、撮像部２の左右に設けられた連結部４を介して本体部３によって左右方向から挟まれた状態となっている。なお、図７（ａ）〜（ｃ）は、デジタルカメラ１を非使用状態、すなわち、撮像部２を収納した状態を示す図である。
【００３８】
撮像部２は、第１の実施の形態の撮像部２と略同じ構成であるが、第２の実施の形態の撮像部２には、固定ピン２０３やロックピン２０４、ロックピン２０４を駆動するプランジャ機構２１０、解除スイッチ１０１，１０２は設けられていない。本体部３の筐体（本体側筐体）３００は、右側筐体３００ａと、左側筐体３００ｂと、右側筐体３００ａおよび左側筐体３００ｂの間に設けられた中央筐体３００ｃによって構成され、背面から見たときに略Ｈ型形状を呈する。すなわち本体側筐体３００は、非使用状態における撮像部２の光軸を跨ぐような形状を呈している。
【００３９】
本体部３には、右側筐体３００ａの上部にシャッターボタン１５が設けられ、右側筐体３００ａの背面にメニューボタン１７が設けられている。右側筐体３００ａの内部にはデジタルカメラ１の電源である電池２３が挿入される。左側筐体３００ｂの内部には、デジタルカメラ１の撮像に関する制御を行う制御基板２１と、撮像した画像を記録する記録媒体２４とが設けられている。中央筐体３００ｃには、液晶モニタ１６と、液晶モニタ１６への表示に関する制御を行う液晶ドライバ２２とが設けられている。
【００４０】
上述のように、撮像部２と本体部３とは、連結部４によって連結されており、図８，９に示すように、撮像部２が本体部３に対して回動可能である。連結部４の構造の詳細については、以下に説明する。
【００４１】
−−−連結部４について−−−
図７〜９に示すように、第２の実施の形態のデジタルカメラ１では、連結部４は、撮像部２の右側に配設された右側連結部４ｃと、撮像部２の左側に配設された左側連結部４ｄとによって構成されている。右側連結部４ｃは、第１の実施の形態のカメラ１における連結部４と略同じ構成であり、軸２０１ｃと、軸３０１ｃと、連結板４０ｃとを有する。左側連結部４ｄは、右側連結部４ｃの天地を逆にした構成であり、軸２０１ｄと、軸３０１ｄと、連結板４０ｄとを有する。そのため、本実施の形態では、左側連結部４ｄとして、右側連結部４ｃと同じものを、天地を逆にして使用している。
【００４２】
図７（ａ），（ｂ），（ｃ）に示したデジタルカメラ１の非使用状態では、撮像部２の入射光軸、および、連結板４０ｃ，４０ｄの長手方向がそれぞれデジタルカメラ１の上下方向を向いている。このように、デジタルカメラ１の上下方向と連結板４０ｃ，４０ｄの長手方向が一致したときの連結板４０ｃ，４０ｄの位置を、本体部３に対する連結板４０ｃ，４０ｄの基準位置と呼ぶ。また、連結板４０ｃ，４０ｄの長手方向と撮像部２の入射光軸が平行になったときの撮像部２の位置を、連結板４０ｃ，４０ｄに対する撮像部２の基準位置と呼ぶ。連結板４０ｃ，４０ｄは、表裏面を貫通する穴４１ｃ，４２ｃ，４１ｄ，４２ｄが両端近傍にそれぞれ設けられた矩形板状の部材である。
【００４３】
軸２０１ｃは、撮像素子１２の近傍で撮像側筐体２００の右側面に突設され、先端側が連結板４０ｃの穴４１ｃに挿入されている。軸３０１ｃは、右側筐体３００ａの左側面上方に突設され、先端側が連結板４０ｃの穴４２ｃに挿入されている。軸２０１ｄは、撮像部２の入射側近傍で撮像側筐体２００の左側面に突設され、先端側が連結板４０ｄの穴４１ｄに挿入されている。軸３０１ｄは、左側筐体３００ｂの右側面下方に突設され、先端側が連結板４０ｄの穴４２ｄに挿入されている。図７（ａ），（ｂ）に示すように軸３０１ｃの軸心と軸２０１ｄの軸心は一致している（軸線ＡＸ１）。また、軸２０１ｃの軸心と軸３０１ｄの軸心は一致している（軸線ＡＸ２）。
【００４４】
すなわち、図７（ｂ）に示すように、デジタルカメラ１の非使用状態では、上側に位置する軸３０１ｃ，２０１ｄはそれぞれ右側筐体３００ａおよび撮像部２の左側面に突接されて、それぞれ相手側である連結板４０ｃ，４０ｄに向かって軸線ＡＸ１上を左側に延在している。同様に、下側に位置する軸２０１ｃ，３０１ｄはそれぞれ撮像部２および左側筐体３００ｂの右側面に突接されて、それぞれ相手側である連結板４０ｃ，４０ｄに向かって軸線ＡＸ２上を右側に延在している。
【００４５】
なお、図示はしないが、軸２０１ｃと穴４１ｃ、軸３０１ｃと穴４２ｃ、軸２０１ｄと穴４１ｄ、および軸３０１ｄと穴４２ｄは、それぞれ連結板４０ｃ，４０ｄが軸２０１ｃ，３０１ｃ，２０１ｄ，３０１ｄを中心に回動することを許容しつつ、連結板４０ｃ，４０ｄが軸２０１ｃ，３０１ｃ，２０１ｄ，３０１ｄを中心に回動される際に適度な摩擦力を発生させている。これにより、連結部４で回転可能に連結されている撮像部２と本体部３とを回転させる際に適度な操作感が得られるとともに、撮影者などに保持された本体部３に対して、撮像部２が重力で勝手に回動することを防止できる。
【００４６】
また、図示はしないが、各軸２０１ｃ，３０１ｃ，２０１ｄ，３０１ｄには、それぞれ各軸２０１ｃ，３０１ｃ，２０１ｄ，３０１ｄの軸端から撮像側筐体２００または本体側筐体３００の内部に貫通する貫通口が設けられている。この貫通口には撮像部２と本体部３との間で電気信号を授受するための配線が挿通されている。これにより、撮像部２と本体部３との間で信号の送受信が可能となる。また、中央筐体３００ｃに配設した配線や撮像部２を経由した配線によって、右側筐体３００ａと左側筐体３００ｂとの間で信号の送受信が可能である。
【００４７】
このように構成されるデジタルカメラ１では、非使用状態から撮像部２の入射側が前方に向くように撮像部２が本体部３に対して回動されると、図８（ａ），（ｂ）に示すように、連結板４０ｃが本体部３に対する基準位置で停止したまま、撮像部２は連結板４０ｃに対して軸２０１ｃを中心として回動される。このとき、連結板４０ｄは、撮像部２とともに軸３０１ｄを中心に前方へ回動される。
【００４８】
撮像部２が非使用状態から入射側が前方へ向くように、軸２０１ｃを中心に回動されると、連結板４０ｃの軸３０１ｃを中心とする回動は、後述するように左側連結部４ｄによって規制される。そのため、非使用状態では軸２０１ｃまたは軸３０１ｃを中心に撮像部が回動可能であるが、撮像部２が非使用状態から入射側が前方へ向くように軸２０１ｃを中心にわずかに回動されると、本体部３に対する撮像部２の回動は、軸２０１ｃ（すなわち軸線ＡＸ２）を中心とした回動だけが可能となり、さらに軸３０１ｃ（すなわち軸線ＡＸ１）を中心に回動されることはない。また、撮像部２が連結板４０ｄに対する基準位置から回動されることはない。
【００４９】
図１０に示すように、撮像部２が非使用状態から入射側が前方へ向くように軸２０１ｃを中心に回動されているときに、本体部３に対する基準位置で停止している連結板４０ｃを、軸３０１ｃを中心に回動させようとすると、連結板４０ｃの穴４１ｃに挿入された軸２０１ｃの軌跡は軸線ＡＸ２と直交するＴｒ１で示す軌跡となる。軌跡Ｔｒ１は、軸３０１ｃを中心とする円弧である。一方で、撮像部２は、左側連結部４ｄによって軸２０１ｄまたは軸３０１ｄを中心とする回動を除いた他の動きが規制されるため、軸２０１ｃの軌跡は軸線ＡＸ２と直交するＴｒ２で示す軌跡となる。軌跡Ｔｒ２は、軸２０１ｄを中心とする円弧であり、軸２０１ｃ，３０１ｄを中心とする撮像部２の回動位置によって異なる軌跡となるが、必ず軸線ＡＸ２と直交する。
【００５０】
したがって、軌跡Ｔｒ１と軌跡Ｔｒ２との交点を含む軸線ＡＸ２と、軸２０１ｃの軸心とが一致しなければならないため、軸２０１ｃはこの位置から移動できない。すなわち、撮像部２が非使用状態から入射側が前方へ向くように軸２０１ｃを中心に回動された場合、連結板４０ｃは左側連結部４ｄによって本体部３に対する基準位置で固定される。換言すれば、左側連結部４ｄは、右側連結部４ｃにおける軸２０１ｃまたは３０１ｃから、本体部３に対する撮像部２の回転中心として軸２０１ｃを選択するという作用をもたらす。
【００５１】
また、上述の説明とは見方を変えると、次のとおりとなる。撮像部２が非使用状態から入射側が前方へ向くように軸２０１ｃを中心に回動されているときに、連結板４０ｄに対する基準位置で停止している撮像部２を、軸２０１ｄを中心に回動させようとすると、軸２０１ｃの軌跡は軸線ＡＸ２と直交するＴｒ２で示す軌跡となる。一方で、連結板４０ｃの穴４１ｃに挿入された軸２０１ｃの軌跡は軸線ＡＸ２と直交するＴｒ１で示す軌跡となる。このため、上述の場合と同様に、軌跡Ｔｒ１と軌跡Ｔｒ２との交点を含む軸線ＡＸ２と、軸２０１ｃの軸心とが一致しなければならないため、軸２０１ｃはこの位置から移動できない。
【００５２】
すなわち、撮像部２が非使用状態から入射側が前方へ向くように軸２０１ｃを中心に回動された場合、撮像部２は右側連結部４ｃによって連結板４０ｄに対する基準位置で固定される。換言すれば、右側連結部４ｃは、左側連結部４ｄにおける軸２０１ｄまたは３０１ｄから、本体部３に対する撮像部２の回転中心として軸３０１ｄを選択するという作用をもたらす。
【００５３】
図９（ａ），（ｂ）に示すように、撮像部２が非使用状態から入射側が後方へ向くように、軸２０１ｄを中心に回動されると、上述の説明と同様に、連結板４０ｄの軸３０１ｄを中心とする回動は、右側連結部４ｃによって規制され、連結板４０ｃの軸２０１ｃを中心とする回動は、左側連結部４ｄによって規制される。そのため、撮像部２が非使用状態から入射側が後方へ向くように軸２０１ｄを中心にわずかに回動されると、本体部３に対する撮像部２の回動は、軸２０１ｄ（すなわち軸線ＡＸ１）を中心とした回動だけが可能となり、さらに軸３０１ｄ（すなわち軸線ＡＸ２）を中心に回動されることはない。また、連結板４０ｄが本体部３に対する基準位置から回動されることはなく、撮像部２が連結板４０ｃに対する基準位置から回動されることはない。
【００５４】
上述のように、本実施の形態のデジタルカメラ１では、本体部３に対する撮像部２の回動は軸線ＡＸ１，または軸線ＡＸ２のいずれか一方に限定されるので、第１の実施の形態のデジタルカメラ１で設けられている固定ピン２０３，３０３や、ロックピン２０４，３０４など、本体部３に対する撮像部２の回動中心を軸線ＡＸ１，または軸線ＡＸ２のいずれか一方を選択するための機構が不要である。
【００５５】
本実施の形態のデジタルカメラ１では、上述のように、本体部３に対する撮像部２の回動を軸線ＡＸ１，または軸線ＡＸ２のいずれか一方に限定するための機構が不要であり、かつ、連結板４０ｃ，４０ｄが軸２０１ｃ，３０１ｃ，２０１ｄ，３０１ｄを中心に回動される際に適度な摩擦力を発生させているので、撮像部２を非使用状態で固定するための機構は特に必要ではない。なお、撮像部２を非使用状態で固定する機構を別途設ける必要がある場合には、撮像部２と本体部３との間で少なくとも１箇所で固定すれば、撮像部２を非使用状態で固定できる。
【００５６】
上述した第２の実施の形態のデジタルカメラ１では、第１の実施の形態の作用効果に加えて、次の作用効果を奏する。
（１）  右側連結部４ｃと左側連結部４ｄとによって、撮像部２と本体部３とを回動可能に連結するように構成した。これにより、本体部３に対する撮像部２の回動は軸線ＡＸ１，または軸線ＡＸ２のいずれか一方に限定されるので、第１の実施の形態のデジタルカメラ１で設けられている固定ピン２０３，３０３や、ロックピン２０４，３０４など、本体部３に対する撮像部２の回動を軸線ＡＸ１，または軸線ＡＸ２のいずれか一方に限定するための機構が不要となり、デジタルカメラ１の製造コストを低減できる。また、本実施の形態のデジタルカメラ１では、第１の実施の形態のデジタルカメラ１に対して左側連結部４ｄを追加した構成となっているが、左側連結部４ｄは右側連結部４ｃの天地を逆にしただけであって、右側連結部４ｃを利用しているので、左側連結部４ｄを追加したことによる製造コストの増加はわずかである。
【００５７】
（２）  撮像部２の左右に跨るように振り分けられた本体部３の右側筐体３００ａ、左側筐体３００ｂ、および中央筐体３００ｃのそれぞれにデジタルカメラ１の各構成要素を配設するように構成した。これにより、左右の重量バランスや操作性を加味して各構成要素を配設できるので、保持した際の重量バランスがよく、扱いやすいカメラを実現できる。
【００５８】
−−−第３の実施の形態−−−
図１１（ａ），（ｂ）を参照して、発明によるカメラの第３の実施の形態を説明する。以下の説明では、第１または第２の実施の形態と同じ構成要素には同じ符号を付して相違点を主に説明する。特に説明しない点については、第１または第２の実施の形態と同じである。図１１（ａ），（ｂ）は、それぞれカメラの非使用状態における平面図および背面図である。本実施の形態のデジタルカメラ１は、撮像部２が左側にオフセットされている点で第２の実施の形態のデジタルカメラ１と異なっている。
【００５９】
本体部３の筐体（本体側筐体）３００は、右側筐体３５０ａと、左側筐体３５０ｂと、右側筐体３５０ａおよび左側筐体３５０ｂの間に設けられた中央筐体３５０ｃによって構成されている。本体部３には、右側筐体３５０ａの上部にシャッターボタン１５が設けられ、右側筐体３５０ａの背面にメニューボタン１７が設けられている。右側筐体３５０ａの内部には、デジタルカメラ１の撮像に関する制御を行う制御基板２１と、撮像した画像を記録する記録媒体２４とが設けられ、デジタルカメラ１の電源である電池２３が挿入される。中央筐体３５０ｃには、液晶モニタ１６と、液晶モニタ１６への表示に関する制御を行う液晶ドライバ２２とが設けられている。
【００６０】
すなわち、本実施の形態のデジタルカメラ１では、本体部３に設けられる主要な構成要素のうちほとんどのものが右側筐体３５０ａに設けられている。そして、撮像部２が本体部３に対して左側にオフセットされた状態で、右側連結部４ｃおよび左側連結部４ｄによって本体部３に対して回動可能に連結されている。連結部４の構造は、第２の実施の形態と同じである。
【００６１】
上述した第３の実施の形態のデジタルカメラ１では、第１および第２の実施の形態の作用効果に加えて、次の作用効果を奏する。
（１）  撮像部２が本体部３に対して左側にオフセットされた状態で、右側連結部４ｃおよび左側連結部４ｄによって本体部３に対して回動可能に連結されているので、撮影者が右手でデジタルカメラ１を保持しながら撮像部２を本体部３に対して回動させる際に、左手だけで容易に回動操作ができるので操作性がよい。
【００６２】
−−−変形例−−−
（１）  上述の説明では、ロックピン２０４，３０４は、連結板４０の側面から当接して、連結板４０の軸２０１，３０１を中心とする回動を規制しているが、本発明はこれに限定されない。たとえば、連結板４０の表裏面を貫通する穴にロックピン２０４，３０４が嵌挿されることで、連結板４０の軸２０１，３０１を中心とする回動を規制するように構成してもよい。なお、連結板４０の軸２０１，３０１を中心とする回動を規制する構造であれば、上述した構成に限定されない。
【００６３】
（２）  上述の説明では、軸２０１，２０１ｃ，２０１ｄ，３０１，３０１ｃ，３０１ｄはそれぞれ撮像側筐体２００および本体側筐体３００の側面に突設されているが、本発明はこれに限定されない。たとえば、軸２０１，２０１ｃ，２０１ｄ，３０１，３０１ｃ，３０１ｄが連結板４０，４０ｃ，４０ｄに突設されていてもよく、連結板４０，４０ｃ，４０ｄに突設されたこれらの軸が、それぞれ撮像側筐体２００および本体側筐体３００の側面で回動可能に軸支されるように構成することもできる。
【００６４】
（３）  上述した第１の実施の形態のデジタルカメラ１では、撮像部２は、撮像素子１２の近傍に突設された軸２０１で連結板４０に軸支され、本体部３は、本体側筐体３００の側面上方に突設された軸３０１で連結板４０に軸支されているが、本発明はこれに限定されない。たとえば、撮像部２が入射側の近傍に突設された軸で連結板４０に軸支され、本体部３が本体側筐体３００の側面上方に突設された軸３０１で連結板４０に軸支されるように構成してもよく、撮像部２が撮像素子１２の近傍に突設された軸２０１で連結板４０に軸支され、本体部３が本体側筐体３００の側面下方に突設された軸で連結板４０に軸支されるように構成してもよい。これらのように構成した場合、上述の説明とは逆に、非使用状態において、撮像部２の入射側は下方を向く。また、撮像部２が入射側の近傍に突設された軸で連結板４０に軸支され、本体部３が本体側筐体３００の側面下方に突設された軸で連結板４０に軸支されるように構成してもよい。このように構成した場合、上述の説明と同様に、非使用状態において、撮像部２の入射側は上方を向く。第２および第３の実施の形態のデジタルカメラ１についても同様である。
【００６５】
（４）  上述した第１の実施の形態のデジタルカメラ１では、前方または後方に回動された撮像部２を非使用状態に戻した後、連結板４０の軸２０１，３０１を中心とする回動を規制するためには、解除スイッチ１０１または１０２を再び押圧してロックピン２０４または３０４を突出位置に突出させる必要があるが、本発明はこれに限定されない。たとえば、解除スイッチ１０１，１０２を押圧している間だけロックピン２０４，３０４が退避状態となるように構成するとともに、デジタルカメラ１の前方または後方に回動された撮像部２を非使用状態に戻す際には、解除スイッチ１０１または１０２を押圧しなくても連結板４０が突出状態のロックピン２０４，３０４を退避位置方向に圧下させながら乗り越えることができるように構成することもできる。このように構成することで、非使用状態から撮像部２を回動させるときにのみ解除スイッチ１０１または１０２を押圧すればよく、撮像部２を非使用状態に戻すときは解除スイッチ１０１または１０２を再び押圧する必要はない。
【００６６】
（５）  上述した第２の実施の形態のデジタルカメラ１では、液晶モニタ１６および液晶ドライバ２２が中央筐体３００ｃに設けられているが、本発明はこれに限定されない。たとえば、液晶モニタ１６や液晶ドライバ２２が右側筐体３００ａや左側筐体３００ｂに設けられていてもよく、中央筐体３００ｃから右側筐体３００ａや左側筐体３００ｂの一部にかかるように設けられていてもよい。また、右側筐体３００ａから左側筐体３００ｂにかけて液晶モニタ１６が設けられるようにしてもよい。
【００６７】
（６）  上述した第２の実施の形態のデジタルカメラ１では、本体側筐体３００は、背面から見たときに略Ｈ型形状を呈するように構成されているが、本発明はこれに限定されない。たとえば、中央筐体３００ｃを下方または上方に延在させてもよい。中央筐体３００ｃの上方または下方のいずれか一方には、撮像部２の入射側を後方に向けて撮影者自身を撮像できるようにするため、中央筐体３００ｃが設けられない領域が存在する。第３の実施の形態のデジタルカメラ１についても同様である。また、図１２（ａ），（ｂ）や図１３（ａ），（ｂ）に示すように、中央筐体３００ｃを下方または上方に延在させることで広がったデジタルカメラ１の背面に第２または第３の実施の形態の液晶モニタ１６よりも大画面の液晶モニタを設けることができる。なお、図１２（ａ），（ｂ），図１３（ａ），（ｂ）は、中央筐体３００ｃを下方に延在させたデジタルカメラ１の例である。３６０ａおよび３７０ａは右側筐体であり、３６０ｂ、３７０ｂは左側筐体であり、３６０ｃ、３７０ｃは中央筐体である。
【００６８】
（７）  上述した第２および第３の実施の形態のデジタルカメラ１では、撮影者などに保持された本体部３に対して、撮像部２が重力で勝手に回動することを防止ため、全ての軸２０１ｃ，２０１ｄ，３０１ｃ，３０１ｄと穴４１ｃ，４１ｄ，４２ｃ，４２ｄとの間で適度な摩擦力（摺動摩擦力）を発生させているが、本発明はこれに限定されない。少なくとも軸２０１ｃと穴４１ｃ、または軸３０１ｄと穴４２ｄの内のいずれか一方で適度な摺動摩擦力が発生するように構成され、かつ、軸３０１ｃと穴４２ｃ、または軸２０１ｄと穴４１ｄの内のいずれか一方で適度な摺動摩擦力が発生するように構成されていればよい。
（８）  上述した各実施の形態および変形例は、それぞれ組み合わせてもよい。
【００６９】
なお、以上の説明はあくまで一例であり、本発明の特徴的な機能を損なわない限り、本発明は、上述した実施の形態に何ら限定されない。
【図面の簡単な説明】
【００７０】
【図１】本発明によるデジタルカメラ１の非使用状態における外観を示す図であり、（ａ）は平面図であり、（ｂ）は背面図である。
【図２】撮像部２の入射側を前方に向けたデジタルカメラ１の外観を示す図であり、（ａ）は側面図であり、（ｂ）は背面図である。
【図３】撮像部２の入射側を後方に向けたデジタルカメラ１の外観を示す図であり、（ａ）は側面図であり、（ｂ）は背面図である。
【図４】非使用状態における連結部４の構造を示す模式図であり、（ａ）は側面から見た図であり、（ｂ）は背面から見た図である。
【図５】連結部４に配設される配線５１を示す図である。
【図６】非使用状態から撮像部２を回動させた状態における連結部４の構造を示す模式図であり、（ａ）は撮像部２の入射側を前方に向けた状態を側面から見た図であり、（ｂ）は撮像部２の入射側を後方に向けた状態を側面から見た図である。
【図７】第２の実施の形態のデジタルカメラ１の非使用状態における外観を示す図であり、（ａ）は平面図であり、（ｂ）は背面図であり、（ｃ）は左側から見た断面図である。
【図８】撮像部２の入射側を前方に向けたデジタルカメラ１の外観を示す図であり、（ａ）は背面図であり、（ｂ）は（ａ）のＶＩＩＩ−ＶＩＩＩ矢視図である。
【図９】撮像部２の入射側を後方に向けたデジタルカメラ１の外観を示す図であり、（ａ）は背面図であり、（ｂ）は（ａ）のＸ−Ｘ矢視図である。
【図１０】撮像部２と本体部３とを回動させたときの連結部４による回動姿勢の規制について説明する図である。
【図１１】第３の実施の形態のデジタルカメラ１の非使用状態における外観を示す図であり、（ａ）は平面図であり、（ｂ）は背面図である。
【図１２】デジタルカメラ１の変形例を示す図であり、（ａ）は平面図であり、（ｂ）は背面図である。
【図１３】デジタルカメラ１の変形例を示す図であり、（ａ）は平面図であり、（ｂ）は背面図である。
【符号の説明】
【００７１】
１  デジタルカメラ                            ２  撮像部
３  本体部                                    ４  連結部
４ｃ  右側連結部                              ４ｄ  左側連結部
１１  撮像レンズ                              １２  撮像素子
１６  液晶モニタ                              ２５  表示ユニット
４０，４０ｃ，４０ｄ  連結板
４１，４１ｃ，４１ｄ，４２、４２ｃ、４２ｄ  穴
１０１，１０２  解除スイッチ
２０１，２０１ｃ，２０１ｄ，３０１，３０１ｃ，３０１ｄ  軸
２０３，３０３  固定ピン                      ２０４，３０４  ロックピン
２１０，３１０  プランジャ機構
【図１】
2006222926.tif 000003
【図２】
2006222926.tif 000004
【図３】
2006222926.tif 000005
【図４】
2006222926.tif 000006
【図５】
2006222926.tif 000007
【図６】
2006222926.tif 000008
【図７】
2006222926.tif 000009
【図８】
2006222926.tif 000010
【図９】
2006222926.tif 000011
【図１０】
2006222926.tif 000012
【図１１】
2006222926.tif 000013
【図１２】
2006222926.tif 000014
【図１３】
2006222926.tif 000015